(57)【要約】【課題】笠部をなくし意匠性を向上させ、ガラス開口部分を大きくし、パネルのブレ・ズレ等の移動を無くし、膨張の吸収・衝撃の緩衝を図る。【解決手段】底部２７と側部２８とからなる断面略Ｕ字状のパネル保持材２０において、パネル保持材２０の高さは、框１０の保持材配置溝１４の深さと略同一高さとする。側部２８の外側は保持材配置溝１４を形成する框１０の框のパネル保持部１１と当接可能とし、側部２８の外側には、框のパネル保持部１１に係止する係止突部２５を設け、パネル保持材２０の内側の上部と中間部には、パネルＰの平面部Ｐａと当接可能な挟持舌片２２を形成する。パネル保持材２０の内側の下部には、パネルＰの端面部Ｐｃと当接する受舌片２３を設け、受舌片２３をパネル端部Ｐｃに当接させて、パネルＰの長さ方向の支持を安定的に保持させる。底部２７の下部に脚片２４を設け、サッシの底部２７内でガラス保持部材２０を安定的に支持させる。【選択図】  図１
2004169320.tif 000002
【特許請求の範囲】
【請求項１】
底部２７と側部２８とからなる断面略Ｕ字状のパネル保持材２０において、
該パネル保持材２０の高さは、框１０の保持材配置溝１４の深さと略同一高さとし、上記側部２８の外側は上記保持材配置溝１４を形成する框１０の框のパネル保持部１１と当接し、
前記側部２８の外側には、前記框のパネル保持部１１に係止する係止突部２５を設け、上記パネル保持材２０の内側の上部又は／及び中間部には、パネルＰの平面部Ｐａに当接する挟持舌片２２を形成すると共に、
上記パネル保持材２０の内側の下部又は底部には、パネルＰの端面部Ｐｃと当接する受舌片２３を設けたことを特徴とするサッシのパネル保持材。
【請求項２】
底部２７の下部に脚片２４を設けたことを特徴とする請求項１記載のサッシのパネル保持材。
【請求項３】
上記挟持舌片２２の素材を軟質合成樹脂とし、前記挟持舌片２２以外の部分の素材は硬質合成樹脂としたことを特徴とする請求項１又は請求項２記載のサッシのパネル保持材。
【発明の詳細な説明】
【０００１】
【発明が属する技術分野】
この発明は、建物の窓等のサッシにガラス、樹脂パネル等の板体を装着するためのサッシ用のパネル保持材に関する。
【０００２】
【従来の技術】
従来の建物等の窓用のサッシにガラス等を取付けるためのガラス保持材については、種々の発明・考案がなされている。その一例として、Ｕ字形で傘部がないもの（特許文献１）、底部下面に脚が設けられているもの（特許文献２）、或いは、Ｕ字形のパネル保持材の内部にパネル端部の受け部を設けたもの（特許文献３）は、それぞれ知られている。
【０００３】
しかしながら、上記従来のパネル保持材においては、パネルの寸法精度、製作誤差等により、ガラス押え部との間に隙間が発生してパネルがガタつくことがあった。特に、最近では室内建具において、重さ、色合いなどにより、ガラスの代わりに樹脂パネルを使用することが多くなってきている。樹脂系のパネルは、無機質系のガラスより熱膨張率が高く、上記従来のパネル保持材においては、その設計に当たって、前記熱膨張に伴うパネルの伸縮を考慮する必要があるが、断面Ｕ字状で傘部（サッシのパネル保持部へのはみ出し係止部分）なしのパネル保持材では、パネル保持材の底部が框の底面に当接しており、パネル保持材の伸びを許容する構造ではなかった。
【０００４】
【特許文献１】
特許第２７６１９７７号公報（特に、図１参照）
【特許文献２】
特開平１１−８１８０６号公報（特に、図２参照）
【特許文献３】
特開２００１−１８２４４８号公報（特に、図１参照）
【０００５】
【発明が解決しようとする課題】
したがって、本発明の第１の課題は、サッシ用の傘部のないパネル保持材において、パネルの熱膨張等に伴う伸縮・寸法誤差や衝撃の吸収を円滑に行うことができるパネル保持材を提供することにある。
また、本発明の第２の課題は、ガラス押えの形状を安定的に保持させることができるパネル保持材を提供することにある。
【０００６】
【課題を解決するための手段】
上記課題を解決するために、本発明は、
請求項１に記載のサッシのパネル保持材は、底部２７と側部２８とからなる断面略Ｕ字状のパネル保持材２０において、該パネル保持材２０の高さは、框１０の保持材配置溝１４の深さと略同一高さとし、上記側部２８の外側は上記保持材配置溝１４を形成する框１０の框のパネル保持部１１と当接し、前記側部２８の外側には、前記框のパネル保持部１１に係止する係止突部２５を設け、上記保持材２０の内側の上部又は／及び中間部には、パネルＰの平面部Ｐａと当接する挟持舌片２２を形成すると共に、上記パネル保持材２０の内側の下部又は底部には、パネルＰの端面部Ｐｃと当接する受舌片２３を設けたことを特徴とする。
【０００７】
請求項２に記載のサッシのパネル保持材は、請求項１記載の手段において、底部２７の下部に脚片２４を設けたことを特徴とする。
【０００８】
請求項３に記載のサッシのパネル保持材は、請求項１又は請求項２記載の手段において、上記挟持舌片２２の素材を軟質合成樹脂とし、前記挟持舌片２２以外の部分の素材は硬質合成樹脂としたことを特徴とする。
【０００９】
【発明の実施の形態】
【実施例１】
以下、本発明の実施例１に係る実施の形態について説明する。
図２は本発明に係るサッシに合成樹脂パネルを装着した状態の水平断面図であり、図１はその要部（パネル保持材２０）の拡大断面図である。
【００１０】
本実施の形態は、引き戸等のサッシを構成する縦横の框１０にガラス又は合成樹脂パネルＰ（以下、単に「パネルＰ」という。）が装着される場合に用いられるパネル保持材２０に関し、パネルＰはサッシに保持されるに適当な大きさであり、方形状となっている（図外）。
【００１１】
サッシを構成する縦框と横框の断面形状は基本的には略同一であることから、図２に示す水平断面図を用いて、縦框１０（以下、単に「框１０」という。）にパネルＰを装着させる場合について説明する。
框１０はパネル保持部１１と側壁部１２とを具備し、前記パネル保持部１１には溝状の保持材配置溝１４が形成されている。また、保持材配置溝１４にはパネル保持材２０の脚片２４（後述）が当接する底部１３が形成される。
【００１２】
パネル保持材２０は、図１に示すように、断面形状が略コ字状の硬質合成樹脂部Ｈｈと、該硬質合成樹脂部Ｈｈの両上端部に接合（接合部２６）又は一体的に設けられる軟質合成樹脂部Ｈｓからなる。硬質合成樹脂部Ｈｈは、底部２７と、該底部２７と一体で両側端から上方に立ち上がるように屈曲可能に一体成形された側部２８と、前記底部２７の下部の両側端から下方に突出する脚片２４と、該側部２８の下部位置からパネル保持溝２１内に突出する湾曲状の一対の受舌片２３と、図２に示すようにパネル保持材２０が保持材配置溝１４内に装着された状態で、前記パネル保持部１１の肩部の下部に係合する係止突部２５と、からなる。
【００１３】
そして、上記脚片２４は、図２に示すように、パネル保持材２０が框のパネル保持部１１内に装着されたときに前記底部１３に当接して底部１３からパネル保持材２０を所定高さに保持させる機能を有し、また、湾曲状の受舌片２３は、パネル保持溝２１内にパネルＰが保持されたとき、パネルＰの端面部Ｐｃに直接当接してパネルＰを弾性的に支持することになる。また、係止突部２５が、框のパネル保持部１１に係合し、抜け出ることがなくなる。
なお、パネル保持材２０の高さは、保持材配置溝１４の高さ（深さ）と略同一に形成され、また、パネル保持材２０の上端部には傘部、即ち、パネル保持材２０をパネルＰと共に保持材配置溝１４内に装着した状態において、框のパネル保持部１１の表面に当接するはみ出し部分は形成されない。なお、パネル保持材２０の高さとは、図１にも示すように、脚片２４を設けた場合には、脚片２４をも含めたものである。
【００１４】
硬質合成樹脂部Ｈｈの左右の両上端部には軟質合成樹脂部Ｈｓが装着されることは既に述べたが、その装着手段としては、例えば、二材質成形用金型によって成形時に同時に成形されることが望ましい。そして、軟質合成樹脂部Ｈｓは、その中心側のパネル保持溝２１に向けて、上下に２つの挟持舌片２２が形成される。これらの挟持舌片２２の内、上方の挟持舌片２２は、略水平に、また、下方の挟持舌片２２は、若干パネル保持溝２１の中心部に向けて下がり気味に形成されている。
【００１５】
そして、図２に示すように、これらの上下の挟持舌片２２はパネルＰがパネル保持溝２１内に内装された状態においては、パネルＰの両平面Ｐａに密着し、パネルＰを内外の両面から支持することになる。
【００１６】
本実施形態のパネル保持材２０を用いてサッシにパネルＰを装着するには、パネルＰの端縁部にパネル保持材２０を装着し、その後、パネル保持材２０を装着させた状態で框１０の保持材配置溝１４に順次挿入・保持させ、その後において各框の端部（コーナー部）同士を連結することで方形状のサッシを構成させる。
【００１７】
実施例１の実施形態においては、上記構成により、パネルＰを受舌片２３、脚片２４及び挟持舌片２２により、どの方向にもパネルＰの伸縮を許容することから、保持力が優れたサッシの実現が可能となり、受舌片２３によりパネルＰの熱膨張、寸法誤差及び衝撃の吸収を円滑に行わせることができる。更に、左右の脚片２４と底部１３とで形成される空間により、パネルＰに対して、緩衝作用を高める。
また、サッシ内面の受け枠部分へのはみ出し部分（笠部）がないから、見栄えがよくガラス開口部分（光がとおる開口面積）を大きくすることが可能である。したがって、間切り、スクリーン、機械カバーにも樹脂パネルは使用されていることが多いことから、これらの分野にも使用が可能となった。
【００１８】
【実施例２】
次に、本発明の実施例２の実施形態について図３を用いて説明する。
実施例２のパネル保持材２０’は、硬質合成樹脂部Ｈｈ’の左右の両上端部には軟質合成樹脂部Ｈｓ’が一体接合されるが、その接合手段は実施例１と同じである。軟質合成樹脂部Ｈｓは、その中心側のパネル保持溝２１’に向けて、やや厚みのある左右１つの挟持舌片２２’が形成されている点、及び、底部２７’の両側からパネル保持溝２１’内に突出する湾曲状の一対の受舌片２３’が形成されている点で実施例１と相違する。そして、該相違点以外は実質的に実施例１と同じであることから、図２において、実施例１と対応する構成部材には図１に付した同一符号を付し、且つ、該同一符号にダッシュ（’）を付与することで説明を省略する。実施例２におけるパネル保持材２０’の使用方法は実施例１と略同じである。
【００１９】
なお、上記実施例１，２において、受舌片２３，２３’の形状は左右対称としたが、左右の形状は非対称としてもよく、また、１対でなく複数対としても良いなど、種々の形状が考えられる。
また、上記特許請求の範囲の記載において、図面との対応関係を理解し易くするために各構成要素に図面符号を付したが、本発明の構成要素は、図面に記載された形状に限定されるものではない。
【００２０】
【発明の効果】
本発明は、上記構成により、パネルの膨張・伸縮や寸法誤差を吸収して衝撃等の緩衝を図ることができる。また、パネル周縁部の笠部をなくして意匠性を向上させ、見栄えをよくして、ガラス開口部分（光がとおる開口面積）の大きいパネル保持材を提供することができる。
【図面の簡単な説明】
【図１】本発明に係る実施例１のサッシのパネル保持材の拡大断面図。
【図２】図１のサッシを水平断面図。
【図３】本発明に係る実施例２のサッシのパネル保持材の拡大断面図。
【符号の説明】
Ｐ・・パネル    Ｐｃ・・パネルＰの端面部    Ｐａ・・パネルＰの平面部
Ｈｈ，Ｈｈ’・・硬質合成樹脂部      Ｈｓ，Ｈｓ’・・軟質合成樹脂部
１０・・框（縦框）        １１・・框のパネル保持部        １２・・側壁部
１３・・底部              １４・・保持材配置溝
２０，２０’・・パネル保持材      ２１，２１’・・パネル保持溝
２２，２２’・・挟持舌片          ２３，２３’・・受舌片
２４，２４’・・脚片
２５，２５’・・係止突部          ２６，２６’・・接合部
２７，２７’・・底部              ２８，２８’・・側部
【図１】
2004169320.tif 000003
【図２】
2004169320.tif 000004
【図３】
2004169320.tif 000005